(57)【要約】【課題】実用的かつ効果的な表示態様を得ることができるとともに、使用者の付加的な操作の手間を軽減できる構成を実現する。【解決手段】本発明の画像表示システム１００は、画像を表示可能に構成された表示部１０と、該表示部１０により画像が表示される画像表示面１０Ｐを撮影可能に構成された撮像部２０と、前記画像表示面１０Ｐを前記撮像部２０により撮影させる第１ステップ、及び、該第１ステップで前記撮像部２０により撮影された撮影画像を前記表示部１０により前記画像表示面１０Ｐに表示させる第２ステップを交互に自動的に繰り返し実行する制御部４０と、を具備する。【選択図】図２
2010217241.tif 000002
【特許請求の範囲】
【請求項１】
画像を表示可能に構成された表示部と、
該表示部により画像が表示される画像表示面を撮影可能に構成された撮像部と、
前記画像表示面を前記撮像部により撮影させる第１ステップ、及び、該第１ステップで前記撮像部により撮影された撮影画像を前記表示部により前記画像表示面に表示させる第２ステップを交互に自動的に繰り返し実行する制御部と、
を具備することを特徴とする画像表示システム。
【請求項２】
使用者の操作に応じて前記画像表示面上に付加表示を表示可能な付加表示部をさらに具備することを特徴とする請求項１に記載の画像表示システム。
【請求項３】
前記付加表示は指示位置を示す指示表示であり、前記付加表示部は、使用者の操作に応じて前記画像表示面上の前記指示表示の指示位置を移動可能に構成された指示手段であることを特徴とする請求項２に記載の画像表示システム。
【請求項４】
前記撮影画像を記憶する記憶部をさらに具備し、前記制御部は、前記第１ステップで撮影された前記撮影画像を前記記憶部に記憶させることを特徴とする請求項１乃至３のいずれか一項に記載の画像表示システム。
【請求項５】
前記制御部は、前記表示部に原画像若しくは前記撮影画像の表示を維持させる画像表示維持モードと、前記第１ステップと前記第２ステップを自動的に繰り返すことにより前記表示部に前記撮影画像の表示を更新させる画像表示更新モードと、を切り替え可能に構成されることを特徴とする請求項１乃至４のいずれか一項に記載の画像表示システム。
【請求項６】
前記第１ステップと前記第２ステップの交互の繰り返し周期が人間の視覚の時間分解能以下の周期であることを特徴とする請求項１乃至５のいずれか一項に記載の画像表示システム。
【請求項７】
前記表示部は、前記原画像と前記撮影画像を少なくとも選択的に前記画像表示面に表示可能に構成されてなり、
前記制御部は、前記第１ステップにおいて前記原画像の表示を停止し前記撮影画像の表示を残した状態で前記撮像部による撮影を実施し、
前記制御部は、前記第１ステップ及び前記第２ステップと、前記原画像を表示する第３ステップを繰り返すことを特徴とする請求項１乃至６のいずれか一項に記載の画像表示システム。
【請求項８】
前記表示部は前記画像表示面に画像を投射する画像投射部であり、前記画像投射部の投射光学系と前記撮像部の撮像光学系が共通の光学系で構成されることを特徴とする請求項１乃至７のいずれか一項に記載の画像表示システム。
【請求項９】
前記表示部は前記画像表示面内に配置されたコマンド領域を表示し、
前記制御部は、前記コマンド領域内に使用者の操作により付加された指示表示が配置されたことを検出するコマンド検出手段と、該コマンド検出手段により検出された前記コマンド領域に対応する処理を実行するコマンド実行手段とを含むことを特徴とする請求項１乃至８のいずれか一項に記載の画像表示システム。
【発明の詳細な説明】
【技術分野】
【０００１】
本発明は画像表示システムに係り、特に、表示手段と撮像手段を備えたシステム構成に関する。
【背景技術】
【０００２】
一般に、プロジェクタなどの画像投影手段と、ＣＣＤカメラなどの撮像手段とを用いて表示画像を表示するとともに、表示画像に付加された手書き部分を撮影し、表示画像と手書き部分を合成してなる合成画像を記録したり、当該合成画像を再表示したりできるように構成されたプレゼンテーション装置が知られている（例えば、特許文献１乃至３参照）。
【０００３】
また、液晶プロジェクタなどの画像投影手段と、ＣＣＤカメラなどの撮像手段とを一体化し、投影光学系と撮像光学系を兼用してなる電子機器も提案されている（例えば、特許文献４参照）。この電子機器によれば、携帯電話機などの電子機器において画像投影機能と撮像機能とを持たせることができると同時に、部品点数の削減などによるコスト低減効果を得ることができる。
【先行技術文献】
【特許文献】
【０００４】
【特許文献１】特開平１１−３０５３３５号公報
【特許文献２】特開２００４−２００７９３号公報
【特許文献３】特開２００４−１９８８１７号公報
【特許文献４】特開２００６−６７４６９号公報
【発明の概要】
【発明が解決しようとする課題】
【０００５】
しかしながら、前述のプレゼンテーション装置では、例えば、投影画像に付加されたホワイトボード上の手書き部分を撮影してこれを保存したり、投影画像と手書き部分の合成画像を形成したりするに過ぎない上、実際のプレゼンテーションの場面において使用者の所望する手書き部分を保存したり当該手書き部分を含む合成画像を形成するには、使用者の望むタイミングで撮影するために撮影操作を手動で行う必要があり、したがって、記録機能が付加されているだけでプレゼンテーション効果としては従前のものとそれほど差異がないとともに、使用者に付加的な操作を要求することになるという問題点がある。
【０００６】
そこで、本発明は上記問題点を解決するものであり、各種の表示体やプロジェクタ等といった表示部と、ＣＣＤカメラ等といった撮像部とを有する画像表示システムにおいて、実用的かつ効果的な表示態様を得ることができるとともに、使用者の付加的な操作の手間を軽減できる構成を実現することにある。
【課題を解決するための手段】
【０００７】
斯かる実情に鑑み、本発明の画像表示システムは、画像を表示可能に構成された表示部と、該表示部により画像が表示される画像表示面を撮影可能に構成された撮像部と、前記画像表示面を前記撮像部により撮影させる第１ステップ、及び、該第１ステップで前記撮像部により撮影された撮影画像を前記表示部により前記画像表示面に表示させる第２ステップを交互に自動的に繰り返し実行する制御部と、を具備することを特徴とする。
【０００８】
本発明によれば、制御部により上記第１ステップと第２ステップを交互に自動的に繰り返し実行することにより、画像表示面上の表示態様が撮影画像の変化と共に変化するので、原画像に重ねて画像表示面上の付加要素が累積的に表示され、その結果、画像表示面上に配置された物などの一時的な表示要素であっても画像表示面上に残像的に残すことが可能になる。したがって、使用者が画像表示面をなぞったり指示棒やポインタ等で指示したりすると、あたかも画像表示面に直接書き込んだかのように付加要素が表示画像内に付加される。したがって、講義やプレゼンテーション等において実用的かつ効果的な表示態様を得ることができるとともに、使用者に特別な操作を要求しないという利点がある。
【０００９】
本発明において、使用者の操作に応じて前記画像表示面上に付加表示を表示可能な付加表示部をさらに具備することが好ましい。これによれば、使用者が操作することにより付加表示部により画像表示上に付加表示を表示すると、表示部による表示画像と付加表示を含む画像が上記第１ステップで撮像部により撮影され、その撮影画像が第２ステップで表示部により画像表示面に表示されるということが繰り返されるので、原画像に付加表示を累積的に加えた画像表示が可能になる。例えば、使用者が付加表示を画像表示面上で動かすことで原画像に付加表示の軌跡を描き込むことが可能になる。ここで、上記付加表示とは、表示部が表示する画像とは別に、画像表示面上に付加的に表示される表示要素を言い、表示部が表示する画像上に重畳する形で付加表示部が表示可能な任意の画像で構成される。したがって、付加表示には、後述する指示表示の他に、予め定められた複数の表示パターンから選択される、丸印、星印、下線、波線、矩形枠など、表示部による表示画像とは別に画像表示面に表示される任意の表示要素が含まれる。
【００１０】
本発明の一の態様においては、前記付加表示は指示位置を示す指示表示であり、前記付加表示部は、使用者の操作に応じて前記画像表示面上の前記指示表示の指示位置を移動可能に構成された指示手段である。このような指示手段としては、典型的には、指示位置を先端で示す指示棒、光スポットで示す光（レーザー）ポインタなどが挙げられるが、例えば、画像表示面が液晶パネル等の表示体の画面で構成される場合には、カーソル表示で示すマウスなどのポインティングデバイスとカーソル表示を表示するための表示回路などで構成されていてもよい。この場合、例えば、使用者が画像表示面上で指示手段を用いて指示表示を画像表示面上で移動させた場合、その指示位置がリアルタイム的に移動する態様で、当該指示表示の軌跡を残した画像を表示することができる。
【００１１】
本発明の他の態様においては、前記撮影画像を記憶する記憶部をさらに具備し、前記制御部は、前記第１ステップで撮影された前記撮影画像を前記記憶部に記憶させる。これによれば、第１ステップで撮影された撮影画像が記憶部に記憶されることで、当該撮影画像の保管や読み出し等が可能になるから、適宜の時点の撮影画像を選択して出力したり表示したりすることが可能になる。なお、この撮影画像の記憶は、上記第１ステップの後であれば、第２ステップの前後のいずれの時点において実行されてもよく、さらには、第２ステップと並行して実行されてもよい。
【００１２】
本発明の別の態様においては、前記制御部は、前記表示部に原画像若しくは前記撮影画像の表示を維持させる画像表示維持モードと、前記第１ステップと前記第２ステップを自動的に繰り返すことにより前記表示部に前記撮影画像の表示を更新させる画像表示更新モードと、を切り替え可能に構成される。この場合には、画像維持表示モードとすることで原画像若しくは前記撮影画像を画像表示面に表示した状態を維持することができるとともに、画像更新表示モードとすることで第１ステップと第２ステップの繰り返しに伴って撮影画像を更新しつつ画像表示面に表示することができるので、両モードの切り替えによって表示画像への付加表示の書き込み作用の有無を切り替えることができ、また、付加表示を消去して原画像に戻したり、付加表示を復活させたりすることも可能になる。なお、本明細書中において「原画像」の語は、予め用意されている画像データに基づくものに限定されず、本装置の撮像部において過去に撮影された適宜の撮影画像（付加表示が含まれるか否かを問わない。）をも含む意味で用いる。
【００１３】
本発明の異なる態様においては、前記第１ステップと前記第２ステップの交互の繰り返し周期は人間の視覚の時間分解能以下の周期である。人間の視覚の時間分解能は通常５０〜１２０ｍｓ程度であるから、両ステップの繰り返し周期が１２０ｍｓ以下、好ましくは６０ｍｓ以下であれば撮影画像が視覚的に連続的に変化する。ただし、本発明は撮影画像が連続的に視認される態様に限定されるものではない。
【００１４】
本発明のさらに別の態様においては、前記表示部は、前記原画像と前記撮影画像を少なくとも選択的に前記画像表示面に表示可能に構成されてなり、前記制御部は、前記第１ステップにおいて前記原画像の表示を停止し前記撮影画像の表示を残した状態で前記撮像部による撮影を実施し、また、前記第１ステップ及び前記第２ステップと、前記原画像を表示する第３ステップを繰り返す。これによれば、第１ステップでは撮影時において撮影画像が表示されるとともに当該第１ステップにより得られる撮影画像は原画像を含まないため、新たな撮影画像は過去に撮影された付加表示と当該第１ステップを実施する際の画像表示面上の付加表示のみを含むこととなる。また、第３ステップにおいては原画像が表示される。したがって、原画像と撮影画像とが交互に画像表示面上に表れることとなる。この場合、程度問題ではあるが、上記のように第１ステップ乃至第３ステップを人間の視覚の時間分解能以下の周期で交互に自動的に繰り返すことにより、視覚効果的に両画像を重ねて視認することが可能になる。このようにすると、撮影画像中の原画像部分が繰り返しの撮影により劣化するということを防止できるとともに、撮影画像中から原画像を排除できるので、画像の記録等の処理や管理が容易になり、表示画像中から付加表示のみを消去する（表示画像を原画像に切り替えてこれを維持する。）といった処理もきわめて容易に実行することができる。ここで、上記第３ステップにおいては、原画像とともに撮影画像が表示されるようにしてもよく、或いは、原画像は表示されるが撮影画像は表示されないようにしてもよい。
【００１５】
この場合に、前記制御部は、前記第３ステップの前又は後に前記第１ステップと前記第２ステップを連続して複数回繰り返すようにしてもよい。これによれば、第１ステップと第２ステップを複数回繰り返すことで第３ステップにおける原画像の表示の１回に対して複数の撮影画像が順次に表示されることとなるため、第１ステップと第２ステップの繰り返し回数分だけ撮影画像の時間分解能を高めることができる。この場合にはさらに、第３ステップにおける原画像の表示時間を規定することが望ましい。このようにすると、第３ステップにおける原画像の表示期間を第１ステップ及び第２ステップによる複数の撮影画像の表示時間の合計に対して好適な時間（例えば、上記合計時間と一致する時間）となるように調整することが可能になり、原画像と撮影画像の視感度のバランスを取ることができる。
【００１６】
本発明のさらに異なる態様においては、前記表示部は前記画像表示面に画像を投射する画像投射部である。これによれば、表示部が画像投射部であることにより、画像を拡大して投影することができるので、プレゼンテーションなどに好適な表示態様を容易に実現できる。
【００１７】
この場合、前記表示部には、前記原画像を形成する原画像形成部と、前記撮影画像を形成する撮影画像形成部とが設けられ、前記原画像形成部により形成された原画像と前記撮影画像形成部により形成された撮影画像とが選択的に前記画像表示面上に表示可能に構成されることが好ましい。この場合、さらに上記原画像と前記撮影画像とを合成して前記画像表示面上に表示可能に構成されることがより望ましい。
【００１８】
また、上記の場合において、前記画像投射部の投射光学系と前記撮像部の撮像光学系が共通の光学系で構成されることが好ましい。これによれば、画像表示面に対する投射光学系と撮像光学系の光軸を一致させることができるので、表示画像と撮影画像のずれを防止することが可能になる。
【００１９】
この場合にはさらに、上記共通の光学系は、前記撮像部が取得する画像信号に応じて光学機能が制御されることが望ましい。撮像部が取得する画像信号に応じて共通の光学系の光学機能の制御、例えば、フォーカス制御、あおり調整、画ブレ補正等を行うことで、画像投射部の投射光学系としての光学機能の制御、例えば、フォーカス制御、あおり調整、画ブレ補正等を同時に実現することができる。
【００２０】
本発明のさらに他の態様においては、前記表示部は前記画像表示面内に配置されたコマンド領域を表示し、前記制御部は、前記コマンド領域内に使用者の操作により付加された指示表示が配置されたことを検出するコマンド検出手段と、該コマンド検出手段により検出された前記コマンド領域に対応する処理を実行するコマンド実行手段とを含む。これによれば、使用者の操作により、表示部が表示するコマンド領域内に指示表示が配置されると、制御部はコマンド検出手段によりこれを検出し、指示表示が配置されたコマンド領域に対応する処理をコマンド実行手段により実行する。したがって、使用者は指示表示でコマンド領域を指示するだけで、各種のコマンド、たとえば、画面の拡大、縮小、消去、更新といった操作を容易に行うことが可能になる。上記指示表示は特に限定されないが、上記の付加表示部により表示された指示表示であることが好ましい。
【図面の簡単な説明】
【００２１】
【図１】各実施形態の機能を模式的に示す概念図。
【図２】各実施形態の全体構成を模式的に示す概略構成ブロック図。
【図３】第１実施形態の動作手順を、各手順に対応する表示態様とともに示す概略フローチャート。
【図４】第１実施形態の表示態様の変化を示す説明図。
【図５】第２実施形態の動作手順を、各手順に対応する表示態様とともに示す概略フローチャート。
【図６】第３実施形態の動作手順を、各手順に対応する表示態様とともに示す概略フローチャート。
【図７】第３実施形態の表示態様の変化を示す説明図。
【図８】第４実施形態の表示部の主要構造を示す斜視図。
【図９】第４実施形態の動作手順を、各手順に対応する表示態様とともに示す概略フローチャート。
【図１０】第５実施形態の表示画面を示す図。
【図１１】第５実施形態の動作手順を示す概略フローチャート。
【発明を実施するための形態】
【００２２】
次に、添付図面を参照して本発明の実施形態について詳細に説明する。
【００２３】
図１は本発明に係る画像表示システムの各実施形態の機能を模式的に示す概念図、図２は各実施形態に共通に用いることのできる全体構成を模式的に示す概略構成ブロック図である。図１及び図２に示すように、本実施形態の画像表示システム１００は、表示画像１１を表示可能に構成された表示部１０と、この表示画像１１が表示される画像表示面１０Ｐを撮影可能に構成された撮像部２０と、画像表示面１０Ｐ上に付加表示３１を表示可能な付加表示部３０と、上記表示部１０及び撮像部２０を制御する制御部４０とを有する。なお、付加表示部３０は一般的なプレゼンテーション用器具として容易に入手できるので、画像表示システム１００に専用の付加表示部３０が含まれない構成としてもよい。
【００２４】
ここで、図２に示す例では、表示部１０は画像を上記画像表示面１０Ｐへ投射する画像投射部として構成されている。講演やプレゼンテーションを行う場合には表示部１０を画像投射部とすることが拡大画像を形成することができる点で最も効果的である。ただし、表示部１０としては、画像を表示可能なものであれば特に限定されるものではなく、例えば、ＣＲＴモニタ、ＬＣＤパネル、ＰＤＰパネル、背面投射型モニタなど、各種の表示体や表示システムを用いることができる。
【００２５】
また、制御部４０は、ＭＰＵ（マイクロプロセッサユニット）や制御回路等よりなる主制御部４１と、撮像部２０から出力される画像信号を処理する画像処理部４２とを有する。主制御部４１がＭＰＵ等の演算手段で構成される場合には、後述する動作手順は動作プログラムとして構成される。また、主制御部４１が制御回路で構成される場合には、後述する動作手順は機能を実現するための実体的な回路構成によって構成される。
【００２６】
本実施形態では、上記に加えてさらに、制御部４０により上記撮影画像データ２１若しくはこれに対応するデータを記憶させたり、そこに記憶されている上記撮影画像データ２１若しくはこれに対応するデータを読み出したりする場所として、ＳＲＡＭ、ＤＲＡＭ等のメモリや、ＨＤＤ、光ディスクドライブ等の外部記憶装置などで構成される記憶部５０が設けられている。この記憶部５０には、上記撮影画像データ２１若しくはこれに対応するデータの他に、撮像部２０による撮影画像以外の原画像データ若しくはこれに対応するデータが記憶されてもよい。また、記憶部５０には、上記主制御部４１が実行する動作プログラム、その他の各種のプログラム、制御部４０により行われる処理に用いる各種パラメータなどを記憶させることも可能である。
【００２７】
上記表示部１０は、各種の画像データ（例えば、記憶部５０から読みだされた撮像画像データ２１若しくはこれに対応するデータ、各種インターフェイス等よりなる画像入力部５１から入力されたデータ、主制御部４１から直接に供給されたデータなど）に基づいて表示信号や制御信号を生成する表示回路１２と、この表示回路１２の表示信号や制御信号に応じて動作する液晶パネル等よりなる光変調部１３と、光変調部１３に照明光を照射する光源や照射光学系よりなる照明部１４とを有している。
【００２８】
また、表示部１０には、上記照明部１４から照射される照明光が光変調部１３によって光学的に変調されて生成される画像を投射するための投射光学系として機能する光学系１が含まれる。この光学系１は偏光ミラー２とレンズ３を含み、上記画像は偏光ミラー３で反射されてレンズ３により拡大投影されるように構成される。上記画像は光学系１からスクリーン等で構成される画像表示面１０Ｐに投影される。なお、上記光変調部１３は単一の画像を形成するように構成されてもよいが、後述するように、原画像形成部１３Ａと撮影画像形成部１３Ｂがそれぞれ設けられ、両画像形成部１３Ａ、１３Ｂのいずれかによって原画像を表示するか、撮影画像を表示するかを選択（表示画像の切り替え）ができるように構成してもよい。もちろん、両画像を重ねて表示するように構成してもよい。
【００２９】
上記撮像部２０は、上記画像表示面１０Ｐを撮像光学系として機能する上記光学系１を通して撮影するように構成される。ここで、光学系１は表示部１０と兼用されるが、画像表示面１０Ｐから入射した光はレンズ３を介して偏光ミラー２を透過してＣＣＤ素子、ＣＭＯＳ撮像素子等よりなる撮像デバイス２２にてセンシングされる。撮像デバイス２２の出力信号は出力回路２３にて画像信号として出力される。出力回路２３の出力する画像信号は制御部４０の画像処理回路４２に入力され、所定の画像データに変換される。変換された画像データは上記記憶部５０に記憶される。
【００３０】
本実施形態では、表示部１０（画像投射部）の投射光学系と、撮像部２０の撮像光学系とが共通の光学系１で構成されることにより、部品点数の削減や装置のコンパクト化を図ることができるとともに、投射表示時の光軸と、撮像時の光軸とを一致させることができるので、表示画像と撮影画像のずれを防止することができるという利点がある。また、光学系１の制御を例えば撮像部２０の撮影信号に基づいて行うことができる。例えば、撮像部２０のフォーカス制御（レンズ３の繰出し制御）、あおり制御（レンズ３の傾き制御）、画ブレ補正（レンズ３の偏心制御）などである。これにより、別途の検出手段を設けることで投射光学系の制御を行うといったことを不要とすることができる。
【００３１】
付加表示部３０は、図示例の場合、光（レーザー）ポインタなどの発光ユニットで構成される。付加表示部３０から出射した付加表示光は、使用者により画像表示面１０Ｐに照射される。図示例の場合、付加表示部３０は指示手段を構成し、画像表示面１０Ｐ上の任意の指示位置を示す指示表示を表示する。発光ユニットで構成される付加表示部３０の場合、指示表示は画像表示面１０Ｐ上において光スポット（輝点）として表示される。
【００３２】
付加表示部３０は、上記図示例に限らず、表示部１０の構成に応じて種々の態様を採ることができるが、使用者の操作に応じて、表示位置と表示態様の少なくとも一方を変更できるものが好ましい。例えば、複数の表示態様（点、矢印、丸印、三角印、四角印、「重要」等の文字など）を選択して画面表示面１０Ｐ上に表示できるものも挙げられる。また、付加表示部３０は、表示部１０と同様の光投射手段で構成されていてもよく、或いは、画像表示面１０Ｐが液晶パネル等の各種の表示体の画面で構成される場合には、当該画面上に各種のカーソル表示を形成する機能実現手段であってもよい。さらに、例えば、画像表示面１０Ｐに画像をそれぞれ前面側と背面側から投影可能な前面投影部と背面投影部とを設け、これらの両投影部のうちの一方を上記表示部１０とし、他方を上記付加表示部３０として構成してもよい。
【００３３】
本発明の各実施形態では、図１に示すように、表示部１０で画像表示面１０Ｐ上に表示画像１１を表示し、この画像表示面１０Ｐを撮像部２０が撮影し、撮像部２０の撮影によって得られた撮影画像データ２１に基づいて再び表示部１０が画像表示面１０Ｐ上に撮影画像である表示画像１１を表示するということを繰り返し自動的に実行する。これにより、使用者が付加表示部３０を操作して画像表示面１０Ｐ上に付加表示３１を表示させると、上記の自動的な実行プロセスによって付加表示３１が画像表示面１０Ｐ上に累積的に表示される。
【００３４】
[第１実施形態]
次に、図３を参照して、本発明に係る第１実施形態の画像表示システムについて説明する。本実施形態においては、上記制御部４０は図３に示す概略フローチャートの動作を実行する。まず、制御部４０（図示例の場合には実際には主制御部４１、以下同様。）は、予め記憶手段５０に記憶された原画像データを読み出し、或いは、画像入力部５１から入力された原画像データを採り込んで、これらの原画像データに基づいて表示回路１２により駆動信号を出力させることで、表示部１０が画像表示面１０Ｐ上に原画像Ｇ０を表示する（ステップＳ１）。
【００３５】
次に、制御部４０は、上記原画像Ｇ０が表示された画像表示面１０Ｐを撮像部２０により撮影させる（ステップＳ２）。このとき、図示例では画像表示面１０Ｐ上に上記原画像Ｇ０とともに使用者による付加表示ＧＡが表示されているので、撮像部２０は原画像Ｇ０と付加表示ＧＡを含む撮影画像Ｇ１を撮影することとなる。その後、撮影部２０から出力された画像信号を画像処理部４２で処理して撮影画像データ２１を形成し、この撮影画像データ２１を記憶部５０に記憶させる（ステップＳ３）。なお、このステップＳ３は省略することも可能である。
【００３６】
次に、上記撮影画像データ２１を表示回路１２に送り、これによって表示部１０に撮影画像Ｇ１を表示させる（ステップＳ４）。その後、制御部４０は上記ステップＳ２、Ｓ３及びＳ４を繰り返し自動的に実行する。ここで、撮影画像Ｇ１が表示されている状態で、使用者の操作によって画像表示面１０Ｐに付加表示ＧＢが新たに表示されると、画像表示面１０Ｐ上には撮影画像Ｇ１と付加表示ＧＢが表示されることとなるので、結局、原画像Ｇ０、付加表示ＧＡ及び付加表示ＧＢが全て表示されることとなる。したがって、その次の撮影画像Ｇ２には、原画像Ｇ０、付加表示ＧＡ及びＧＢが含まれる。
【００３７】
このようにすると、画像表示面１０Ｐ上には、図４に示すように、撮影画像Ｇ１、Ｇ２、Ｇ３、Ｇ４が次々と表示され、その結果、原画像Ｇ０に付加表示ＧＡ、ＧＢ、ＧＣ、ＧＤ、・・・が順次に累積的に表れていくこととなる。例えば、図示例では使用者の点状の指示表示の軌跡が画面上に表れることとなる。具体的には、使用者が指示表示を原画像Ｇ０上の特定領域を囲むように動かせば、画面上では特定領域を取り囲む図形が表示されることとなる。
【００３８】
ここで、上記の繰り返しの周期は特に限定されないが、実際の用途に合わせて或る程度早く（周期を短く）繰り返すことが好ましい。特に、使用者の指示表示が迅速に撮影されて再表示されることで、あたかも使用者が画像表示面１０Ｐ上にリアルタイムで付加表示による書き込みを行っているかのように感じられる程度の周期、例えば、１秒以下の周期で上記の繰り返しが実行されることが好ましい。さらには、使用者や観察者が付加表示の変化が連続的に感じられる程度の周期、例えば、人間の視覚の時間分解能である１２０ｍｓ以下の周期（好ましくは６０ｍｓ以下の周期）で上記繰り返しが実行されることがさらに望ましい。なお、以上の点は以下に説明する各実施形態においても同様である。
【００３９】
［第２実施形態］
次に、本発明に係る第２実施形態について図５を参照して説明する。この実施形態では、制御部４０は、画像表示維持モードＡと画像表示更新モードＢの２つの制御モードを切り替え可能に構成される。この場合、後述する第６実施形態のように、使用者が付加表示部３０を操作する（例えば、レーザポインタで画像表示面１０Ｐ上の原画像Ｇ０の適宜の位置を指示する）ことにより、両モードを切り替えることができるように構成してもよく、また、別途の操作手段、例えば、付加表示部３０や装置本体（上記表示部１０、撮像部２０及び制御部４０を含む部分）に別途の切り替え操作部を設けてもよい。
【００４０】
上記の画像表示維持モードＡは、本来的には、原画像（過去に撮像部により撮影されて記憶された撮影画像も含む。）若しくは撮影画像（後述するモードＢからの切り替え時点で表示されている撮影画像を意味する。）を表示部１０によって画像表示面１０Ｐに表示し、この表示内容を維持する制御状態である。ここで、複数の原画像データが存在する場合には使用者の操作により表示画像の切り替え若しくは更新を行うことができるように構成することが好ましい。また、この画像表示維持モードＡにおいても図示のように画像表示面１０Ｐの撮像部２０による撮影を行い、その撮影画像のデータを記憶させておくようにすると、その後に画像表示更新モードＢに移行した際に第１ステップを実行する前に直ちに上記の撮影画像を表示することができる。一方、上記の画像表示更新モードＢは、本来的に上記第１ステップと第２ステップを自動的に繰り返すことにより表示部１０によって画像表示面１０Ｐに表示する撮影画像を自動的に更新していく制御状態である。
【００４１】
図５は本実施形態の動作例を示す概略フローチャートである。この動作例では、制御部４０は、まず画像表示維持モードＡに設定されており、表示部２０により原画像Ｇ０が画像表示面１０Ｐ上に表示され、これが維持される（ステップＡ１）。その後、画像表示面１０Ｐが撮像部２０によって撮影され（ステップＡ２）、撮影画像データが記憶部５０に記憶される（ステップＡ３）。ここで、画像表示面１０Ｐ上の表示画像を使用者の操作により更新することができるように構成してもよい。この場合、切り替え後の新たな表示画像もまた維持される。このとき、表示画像が使用者の操作により更新される度に上記ステップＡ２及びＡ３を実行するようにしてもよい。図示例の場合、本モードＡにおいて取得された撮影画像Ｇ１は原画像Ｇ０と付加表示ＧＡを含むものとなっているが、付加表示ＧＡを含まない原画像Ｇ０そのものであっても構わない。
【００４２】
また、上記画像表示維持モードＡと画像表示更新モードＢは使用者による操作などで切り替えられる。図５に示す動作例では、画像表示維持モードＡから画像表示更新モードＢへ切り替えられると、第２ステップとして表示部２０が撮影画像Ｇ１（この場合、上記画像表示維持モードＡのステップＡ２が第１ステップに相当する。）を画像表示面１０Ｐ上に表示する（ステップＢ１）。ここで、モードＢへの移行時に予め撮影画像が存在しない場合には最初に撮像部２０による撮影ステップを実行してもよい。図示例では上述のようにステップＢ１において撮影画像Ｇ１が表示部１０により表示されるが、図示例とは異なり、このときに同時に付加表示部３０により新たな付加表示ＧＢが表示されてもよい。
【００４３】
その後、制御部４０は、再度の第１ステップとして撮像部２０により画像表示面１０Ｐを撮影する（ステップＢ２）。このとき、図示例では付加表示部３０により新たな付加表示ＧＢが表示されている。そして、その撮影画像Ｇ２のデータを記憶部５０に記憶させる（ステップＢ３）。本実施形態では、以上のステップＢ１（第２ステップ）、Ｂ２（第１ステップ）及びＢ３を繰り返し行うことで、第１実施形態と同様に動作させることができる。
【００４４】
上記動作例では画像表示維持モードＡから画像表示更新モードＢへの移行について説明したが、逆に、画像表示更新モードＢから画像表示維持モードＡへの移行も行うことができる。この場合には、移行時における撮影画像、すなわち、画像表示面１０Ｐ上に原画像Ｇ０とともに累積的に表示された付加表示ＧＡ、ＧＢ、・・・を含む表示画像を単に維持するだけでもよいが、当該付加表示を一切消去して原画像Ｇ０を残すといったリセット動作としても実行でき、或いは、付加表示を消去するだけでなく原画像Ｇ０を別のものに更新するようにしてもよい。
【００４５】
なお、本実施形態では、各モードを共通の実体的構成で実現しつつ、制御部４０の動作によって各モードの実行及び相互間の切り替えを行うようにしているが、画像表示を維持する通常のプロジェクタ機能を有する画像表示維持手段と、画像表示を自動的に撮影しつつ更新する画像表示更新手段とを別々の実体的構成として設けておき、両表示手段を制御することで、画像表示維持モードＡと画像表示更新モードＢとを切り替えるようにしても構わない。
【００４６】
［第３実施形態］
次に、図６を参照して本発明に係る第３実施形態について説明する。この実施形態では、原画像Ｇ０を表示するステップＴ１の後に原画像Ｇ０の表示を停止するステップＴ２を設け、原画像Ｇ０の表示が停止されている状態で撮像部２０による撮影を行うステップＴ３を実行する。その後、撮影画像Ｇ１′を記憶部５０に記憶させる（ステップＴ４）。この場合、ステップＴ３では原画像Ｇ０が表示されていないので、撮影画像Ｇ１′には原画像Ｇ０が含まれない。また、使用者による付加表示ＧＡが画像表示面１０Ｐ上に表示されている場合には撮影画像Ｇ１′にはその付加表示ＧＡが含まれる。
【００４７】
なお、図示例では原画像Ｇ０を例示したが、この原画像Ｇ０の代わりに、先の実施形態と同様の手順で（すなわち原画像Ｇ０の表示を停止しない状態で）過去に撮影した撮影画像（すなわち、原画像Ｇ０を含む撮影画像）について上記と同様に処理することも可能である。ただし、本実施形態の以下の説明では、原画像Ｇ０の語を当初に表示された表示画像の意味で記載し、撮影画像の語については当初に表示された表示画像を含まず、当該表示画像に付加された付加表示のみを含む画像の意味で記載する。したがって、下記の記載中の「原画像Ｇ０」の代わりに上記の「原画像Ｇ０を含む撮影画像」を用いてもよいことはもちろんである。なお、以上の点は以下の第５実施形態でも同様である。
【００４８】
次に、再び原画像Ｇ０を表示させ（ステップＴ５）、さらに原画像Ｇ０の表示を停止し（ステップＴ６）、その後に上記の撮影画像Ｇ１′を表示させる（ステップＴ７）。その後、撮像部２０により画像表示面１０Ｐを撮影すると、撮影画像Ｇ１′にその時点での付加表示ＧＢが含まれた撮影画像Ｇ２′のデータが得られる（ステップＴ８）。この撮影画像Ｇ２′のデータは記憶部５０に記憶される（ステップＴ９）。なお、上記ステップＴ５において、原画像Ｇ０とともに撮影画像Ｇ１′を表示する（重ねて表示する）ようにしてもよい。また、この場合、ステップＴ５〜Ｔ７にかけて撮影画像Ｇ１′を表示し続けるようにすれば、上記ステップＴ７において撮影画像Ｇ１′の表示を改めて開始する必要はなくなる。
【００４９】
その後、上記のステップＴ５〜Ｔ９を繰り返し実行することにより、図７に示すように、原画像Ｇ０の表示と、原画像Ｇ０を含まない撮影画像Ｇ１′、Ｇ２′、・・・の表示と、撮影画像Ｇ１′、Ｇ２′、・・・が表示されてなる画像表示面１０Ｐの撮影とが繰り返し行われることとなる。ただし、撮影画像については順次に新しいものに更新されていく。この場合、原画像Ｇ０の表示と、原画像Ｇ０を含まない撮影画像Ｇ１′、Ｇ２′、・・・の表示とが交互に繰り返されることで、視覚的に原画像Ｇ０と撮影画像Ｇ１′、Ｇ２′、・・・とが共に表示されているかのように見せかけることができる。特に、人間の視覚の時間分解能５０〜１２０ｍｓ以下の繰り返し周期で両表示を交互に繰り返すことで、両表示が同時に表示されているように視認され、図４と同様の表示Ｇ１、Ｇ２、・・・が実現される。
【００５０】
なお、この実施形態では、原画像表示と撮影画像表示を共通の実体的構成で実現しつつ、制御部４０の動作によって各表示の実行及び相互間の切り替えを行うようにしているが、後述する第４実施形態のように、原画像を表示する原画像表示手段と撮影画像を表示する撮影画像表示手段とを別々の実体的構成として設けておき、両表示手段を制御することで、原画像表示と撮影画像表示とを切り替えるようにしても構わない。
【００５１】
本実施形態では、原画像Ｇ０は常に最初のデータに基づいて表示されるので、撮像部２０による撮影を繰り返すことによる原画像Ｇ０の劣化を回避することができる。また、繰り返し表示を脱して付加表示を消去し、原画像Ｇ０のみを表示するといったリセット動作も極めて容易に実現できる。
【００５２】
［第４実施形態］
次に、図８を参照して本発明の第４実施形態について説明する。この実施形態は、表示部１０の実体的構成（物理的構成）に関するものである。したがって、上記の各実施形態や後述する各実施形態において本実施形態の構成を採用することも可能である。
【００５３】
本実施形態では、図２に示す表示部２０の構成において、光変調部１３内には、図８に示すように、上記の原画像表示手段を構成する画像形成部１３Ａと、上記の撮影画像表示手段を構成する画像形成部１３Ｂとが配置されている。どちらも上記の単一の画像形成部を有する光変調部１３と同様に透過型の液晶表示体で構成することができる。図示例の場合、画像形成部１３Ａと画像形成部１３Ｂは照明部１４による照明光の光路上に重ねて配置されている。なお、図示例では画像形成部１３Ａが光学系１側に配置され、画像形成部１３Ｂが照明部１４側に配置されているが、その配置関係は逆であってもよい。
【００５４】
図示例では、画像形成部１３Ａ、１３Ｂには駆動回路１３ａ、１３ｂがそれぞれ接続され、これらの駆動回路１３ａ、１３ｂが表示回路１２より表示信号や制御信号を受け取ることで、画像形成部１３Ａ、１３Ｂに駆動信号が出力され、その結果、両画像形成部がそれぞれ所定の画像を形成するようになっている。また、各画像形成部１３Ａ、１３Ｂは、上記のように表示回路１２から受ける制御信号により均一な光透過状態（好ましくは透明状態、以下同様。）になるように構成され、これによって、画像の表示を停止することができるだけでなく、照明光をそのまま透過して画像表示面１０Ｐ上に投射できるように構成される。
【００５５】
本実施形態では、上記画像形成部１３Ａに原画像Ｇ０を形成するとともに上記画像形成部１３Ｂを光透過状態とすることにより、画像表示面１０Ｐ上に原画像Ｇ０を投射することができる。また、上記画像形成部１３Ａを光透過状態とするとともに上記画像形成部１３Ｂに撮影画像Ｇ１、Ｇ２、・・・を形成することにより、撮影画像Ｇ１、Ｇ２、・・・を画像表示面１０Ｐ上に投射することができる。さらには、上記画像形成部１３Ａに原画像Ｇ０を形成するとともに上記画像形成部１３Ｂに撮影画像Ｇ１′、Ｇ２′、・・・を形成したうえで両画像を重ねて、或いは、両画像を交互に表示させることで、画像Ｇ１、Ｇ２、・・・を表示させることも可能である。このように実体的構成として原画像表示手段と撮影画像表示手段とを別々に設けることで、表示モードの切り替えや表示態様の変更を容易に実現することができる。
【００５６】
なお、本実施形態では表示部１０が画像投射部であることを前提に説明してきたが、画像投射部でなくても、液晶パネルその他の各種の表示体の画面上に原画像Ｇ０と撮影画像Ｇ１、Ｇ２、・・・若しくはＧ１′、Ｇ２′、・・・を切り替えて表示することも可能である。このような場合には、表示回路１２において表示画像を切り替える回路構成を設けることで容易に実現できる。もちろん、画像投射部においてこのような表示回路１２による画像の切り替えを行ってもよい。なお、本実施形態のような制御部による表示切替手段は、動作プログラムによって実行されることで実現されるものであってもよく、上記のような切り替え回路によって構成されるものであってもよい。
【００５７】
［第５実施形態］
次に、図９を参照して本発明に係る第５実施形態について説明する。この実施形態は、基本的に上記第３実施形態と同様の作用効果を実現するものであるが、実際の制御部４０の動作態様が異なる。本実施形態では、図９に示すように、まず、表示部１０により原画像Ｇ０を表示し（ステップＵ１）、この表示期間をタイマーによって管理し（ステップＵ２）、たとえば、ｔ＝１／１８秒が経過すると、原画像Ｇ０の表示を停止する（ステップＵ３）。このようにすると、原画像Ｇ０の表示期間を正確に設定（規定）することができる。なお、タイマーの設定時間は上記時間に限らないが、特に、人間の視覚の時間分解能１２０ｍｓ以下であることが好ましく、６０ｍｓ以下であることがさらに望ましい。
【００５８】
次に、上記のように原画像Ｇ０の表示が停止された状態で、撮像部２０により画像表示面１０Ｐの撮影を行い（ステップＵ４）、その撮影画像Ｇ１′のデータを記憶部５０に記憶させ（ステップＵ５）、しかる後にその撮影画像Ｇ１′を表示部１０により表示する（ステップＵ６）。そして、上記のステップＵ４〜Ｕ６を繰り返し実行する（ステップＵ７）。ここで、複数回（ｋ回）の撮影画像Ｇ１′、Ｇ２′、・・・の取得と表示を実施してから撮影画像の表示の停止を行い（ステップＵ８）、その後、ステップＵ１〜Ｕ８を繰り返し実行する。なお、図９では、丸内に「Ｚ」の文字を配置した記号から丸内に「Ｗ」の文字を配置した記号へ手順が進むことを示している。当該記号の後の手順では、再度、原画像Ｇ０が表示された後に、付加表示ＧＤがさらに付加された撮影画像Ｇ４′が取得される。
【００５９】
なお、図示例では撮影画像の取得と表示（ステップＵ４〜Ｕ６）を複数回（ｋ回）繰り返しているが、１回のみで元に戻るように構成してもよい。また、この場合と、上記の図示例のいずれにおいても、例えば、撮影画像の表示（ステップＵ６）の表示期間をタイマー等によりステップＵ２と同様に管理してもよい。
【００６０】
本実施形態では、原画像の表示期間を規定することにより、撮影画像の表示期間とのバランスを確保し、両画像の視感度を調整することが可能になるので、状況に応じて表示態様を最適化することができる。特に、本実施形態では複数の撮影画像を連続的に表示させることで、撮影画像の合計の表示期間が原画像に対して長くなりやすいので、原画像の表示期間を規定することで両画像が合成されてなる表示態様上の効果を高めることができる。ただし、この場合の両画像の表示期間のバランスは、撮影画像に含まれる付加表示の輝度との兼ね合いも考慮して行う必要がある。
【００６１】
また、本実施形態では、複数（ｋ個）の撮影画像を連続して撮影するとともに連続して表示するようにしたことにより、原画像と撮影画像の交互の繰り返し表示の周期よりも撮影画像をきめ細かく変化させることができるので、上記の繰り返し表示の周期には影響されずに、付加表示の変化態様をより滑らかにすることができる。
【００６２】
［第６実施形態］
次に、図１０及び図１１を参照して本発明に係る第６実施形態について説明する。図１０は画像表示面１０Ｐの構成例を示す図である。この構成例では、原画像Ｇ０や撮影画像Ｇ１、Ｇ２、・・若しくはＧ１′、Ｇ２′、・・・を表示する主表示領域１０Ｘと、各種の操作に対応するコマンド領域Ｃ１〜Ｃ５や当該コマンド領域に対応する操作状態を表示する操作状態表示領域Ｄ１、Ｄ２を含む副表示領域１０Ｙとを有している。なお、特に限定されるものではないが、図示例の場合、副表示領域１０Ｙは主表示領域１０Ｘの側方に配置されている。
【００６３】
主表示領域１０Ｘは上記のように原画像Ｇ０や撮影画像Ｇ１、Ｇ２、・・若しくはＧ１′、Ｇ２′、・・・に応じて変化するが、副表示領域１０Ｙは常時表示されるとともに基本的に同一の表示態様が維持されるように構成される。このような主表示領域１０Ｘと副表示領域１０Ｙとを画像表示面１０Ｐ上に表示する方法としては、制御部４０において、原画像Ｇ０や撮影画像Ｇ１、Ｇ２、・・若しくはＧ１′、Ｇ２′、・・・を主表示領域１０Ｘに対応した画像部分として含み、また、コマンド領域や操作状態表示領域を備えた操作部画像を副表示領域１０Ｙに対応した画像部分として含む合成画像を形成する画像合成手段を設ける。この場合、操作部画像が表示される副表示領域１０Ｙは表示部１０による表示画像中には含まれないように、撮像部２０の撮影範囲を設定したり、或いは、撮影後の画像処理において撮影画像をトリミングしたりする。このようにすると、操作部画像は常に元の態様で原画像として表示されるので、操作部画像に付加表示が累積されて視認性が低下するといったことを防止できる。もっとも、本発明においては、主表示領域１０Ｘと副表示領域１０Ｙを含む画像表示面１０Ｐ全体の撮影画像を表示する場合を排除するものではない。
【００６４】
上記図示例では、主表示領域１０Ｘは、例えば、撮影画像Ｇｎ（ｎ＝１、・・・ｋ；ｋは自然数）と、存在する場合には付加表示Ｇｍ（ｍ＝Ａ、Ｂ、・・・）とで構成されている。なお、原画像Ｇ０を含まない撮影画像Ｇｎ′を用いて、原画像Ｇ０と、撮影画像Ｇｎ′と、存在する場合には付加表示Ｇｍとで上記各実施形態のように表示態様が構成されるようにしても構わない。
【００６５】
本実施形態では、使用者は付加表示部３０等によりコマンド領域Ｃ１〜Ｃ５内に指示表示Ｇｐを配置することで、各コマンド領域Ｃ１〜Ｃ５に対応する操作が行われるようになっている。なお、使用者のコマンド操作のための指示表示Ｇｐを形成する付加表示部を上記の付加表示部３０とは別のもので構成してもよい。
【００６６】
このような作用効果を奏するための構成としては、例えば、次のようなものが考えられる。すなわち、上記撮像部２０で撮影された撮影画像のデータを画像処理部４２にて処理することで上記コマンド領域Ｃ１〜Ｃ５上に上記指示表示Ｇｐが配置されているか否かを検出する。これが上述のコマンド検出手段に相当する。また、コマンド検出手段により検出された該当するコマンド領域に対応する操作を主制御部４１が表示回路１２を制御することで実行する。これが上述のコマンド実行手段に相当する。なお、ここでは既に説明した制御部４０を用いて使用者のコマンド操作を検出し、当該コマンドを実行するようにしているが、制御部４０とは別の実体的構成としてコマンド操作を検出するための検出部（コマンド検出手段）を設け、この検出部の出力に応じて制御部４０や他の制御回路（コマンド実行手段）が表示態様を制御するように構成してもよい。また、コマンド実行手段についても制御部４０とは別の実体的構成で実現するようにしてもよい。
【００６７】
本実施形態では、図１１に示すように、まず、原画像Ｇ０が表示部１０により表示され（ステップＶ１）、その後、撮影画像Ｇｎ（Ｇｎ′）の表示が行われる（ステップＶ２）。なお、図１１では各実施形態に対応する具体的な構成や手順（例えば、撮像部による撮影、記憶部への記憶など）については省略して示す。これらの構成や手順は上述の各実施形態の態様に応じて実行される。
【００６８】
次に、既に実行された直前の画像表示面１０Ｐの撮影画像に基づいて画像処理が行われ（ステップＶ３）、その結果として、指示表示Ｇｐが配置されたコマンド領域Ｃ１〜Ｃ５に対応するコマンドが判定される。図示例では、選択可能なコマンドは、画面の拡大、画面の縮小、画面の更新（例えば、表示されるページの選択）、及び、付加表示Ｇｍの消去（画像のリセット）である。そして、上記のように判定されたコマンドに応じた処理を制御部４０がそれぞれ表示回路１２を制御することで実行する（ステップＶ４〜Ｖ６）。
【００６９】
そして、上記のステップＶ２〜Ｖ６を繰り返し実行することで、使用者は表示画像に対してそれぞれ適宜の操作を行うことが可能になる。ここで、図示例では、画面の拡大又は縮小の操作の有無により現在の画面の表示倍率が上記操作状態表示領域Ｄ１において例えば「ｋ％」といった態様で表示される。また、画面の更新状態に応じて現在の画面の表示ページが操作状態表示領域Ｄ２において例えば「ｌ％」といった態様で表示される。なお、図１１に示す手順は、上記各実施形態の処理と並行して行われるか、或いは、上記各実施形態の処理と適宜の順序で実行される。
【００７０】
なお、上記第２実施形態乃至第５実施形態の表示モードや表示する画像の切替操作についても、これらに対応するコマンド領域を設けた上で、上記と同様のコマンド検出手段とコマンド実行手段により行うことができる。
【００７１】
以上のように、本実施形態では、撮像部による画像表示面の撮像と、表示部による撮影画像の表示とを自動的に繰り返すことにより、付加表示を累積的に取り込んで表示できるなど、従前には得られなかった極めて実用的かつ効果的な表示態様を得ることができるという顕著な作用効果を奏する。また、このような表示態様は煩雑な操作を要することなく得られるので、使用者に煩わしい思いをさせることがない。
【００７２】
尚、本発明の画像表示システムは、上述の図示例にのみ限定されるものではなく、本発明の要旨を逸脱しない範囲内において種々変更を加え得ることは勿論である。例えば、上記の各実施形態の動作例において、付加表示３１（指示表示）が不連続的に変化する（ＧＡ、ＧＢ、・・・）ように説明しているが、これは単に説明上の便宜的なものに過ぎず、付加表示３１はこのような変化態様や図示例の変化タイミングに限定されるものではなく、連続的な変化態様や図示例以外の変化タイミングであっても何ら本質が変わるものではない。
【符号の説明】
【００７３】
１００…画像表示システム、１０…表示部、１１…表示画像、１２…表示回路、１３…光変調部、１３Ａ、１３Ｂ…画像形成部、１４…照明部、１０Ｐ…画像表示面、１０Ｘ…主表示領域、１０Ｙ…副表示領域、Ｃ１〜Ｃ５…コマンド領域、Ｄ１、Ｄ２…操作状態表示領域、２０…撮像部、２１…撮影画像データ、２２…撮像デバイス、２３…出力回路、３０…付加表示部、３１…付加表示、４０…制御部、４１…主制御部、４２…画像処理部、５０…記憶部、５１…画像入力部、Ｇ０…原画像、Ｇ１、Ｇ２、・・・（Ｇｎ）、Ｇ１′、Ｇ２′、・・・（Ｇｎ′）…撮影画像、ＧＡ、ＧＢ、・・・（Ｇｍ）…付加表示（指示表示）
【図１】
2010217241.tif 000003
【図２】
2010217241.tif 000004
【図３】
2010217241.tif 000005
【図４】
2010217241.tif 000006
【図５】
2010217241.tif 000007
【図６】
2010217241.tif 000008
【図７】
2010217241.tif 000009
【図８】
2010217241.tif 000010
【図９】
2010217241.tif 000011
【図１０】
2010217241.tif 000012
【図１１】
2010217241.tif 000013